(57)【特許請求の範囲】
【請求項１】
蓋本体の表面に配置される表示部材の取り付けのために、蓋本体を貫通する取り付け孔を有し、そこに表示部材の軸部を差し込んで止める構成を有する地下構造物用表示装置であって、半径方向外方へ突出する突形状を有し、かつ取り付け孔に差し込むと蓋本体の裏面に突出する係合手段を表示部材の軸部に設け、取り付け孔に差し込まれている軸部の係合手段にシール部材を係合によって固定し、シール部材は、キャップ状構造を有するとともに、蓋本体の裏面に接触し、封止機能を発揮するシール端を有しており、蓋本体を表示部材とシール部材とで表裏から挟み込む状態を取ることによって取り付け孔から蓋本体内に侵入しようとする漏水を遮断することを特徴とする地下構造物用表示装置。
【請求項２】
シール部材はゴム等の弾力性を有する材料から成り、表示部材軸部の係合手段とシール部材との結合によって弾力性のあるシール部材が圧縮され、その圧縮反力によって漏水に対する遮断作用を高めている請求項１記載の地下構造物用表示装置。
【請求項３】
表示部材の軸部とシール部材との係合は、シール部材を軸方向に押し込むと緊締度が逓増するか、或いは必要な力を加えて初めて可能となる係合である請求項１又は２記載の地下構造物用表示装置。
【発明の詳細な説明】
【０００１】
【発明の属する技術分野】
本発明は、蓋本体の表面に配置される表示部材の取り付けのために、蓋本体を貫通する取り付け孔を有し、そこに表示部材の軸部を差し込んで止める構成を有する地下構造物用表示装置に関するものである。
【０００２】
【従来の技術】
所謂マンホールの蓋などの表面に、蓋本体とは別構造の表示部材を後付けすることが行われており、この種の技術を扱ったものとしては、特開平８−２６０４９６号や特開平９−１４４０４６号等の発明が提案されている。前者の例は蓋本体に貫通部分を生じないので漏水対策の必要はないが、後者の場合には蓋本体を表裏貫通する孔を生じるので何らかの漏水対策が必要とされる。下水用のマンホール蓋では鉤穴の内側を袋状にして、漏水が微量となるように設計されたものも少なくないが、個々の貫通孔からの漏水量は僅かなものであっても、多数の貫通孔を通じた漏水量の蓄積が進むと、地下構造物の内部の圧力が高まり、設置箇所によってはマンホール蓋などを飛散させるにも原因にもなる。
【０００３】
【発明が解決しようとする課題】
本発明は前記の点に着目してなされたもので、その課題は、蓋本体を貫通する取り付け孔に、表示部材の一部を差し込んで取り付ける構成に起因して発生する漏水の問題を解決することである。また本発明の他の課題は、表示部材の交換が容易でありかつ交換しても所期の漏水防止機能が維持される地下構造物用表示装置を提供することである。
【０００４】
【課題を解決するための手段】
前記の課題を解決するため本発明は、半径方向外方へ突出する突形状を有し、かつ取り付け孔に差し込むと蓋本体の裏面に突出する係合手段を表示部材の軸部に設け、取り付け孔に差し込まれている軸部の係合手段にシール部材を係合によって固定し、シール部材は、キャップ状構造を有するとともに、蓋本体の裏面に接触し、封止機能を発揮するシール端を有しており、蓋本体を表示部材とシール部材とで表裏から挟み込む状態を取ることによって取り付け孔から蓋本体内に侵入しようとする漏水を遮断するという手段を講じたものである。
【０００５】
【発明の実施の形態】
本発明に係る地下構造物用表示装置は、蓋本体の表面に配置される表示部材の取り付けのために、蓋本体を表裏貫通する取り付け孔を有し、そこに表示部材の軸部を差し込んで止める構成を有しているものを対象とする。
【０００６】
蓋本体には、貫通した取り付け孔とともに、表示部材の嵌まる凹部を設けてあっても良い。表示部材は、その蓋本体を有する地下構造物に関する管路番号、鉄蓋識別番号、敷設年度等の情報を外部に表示するもの、蓋本体を装飾するもの、蓋本体の型式や種類を表示するものなどによって構成される。
【０００７】
表示部材には、半径方向外方へ突出する突形状を有し、かつ取り付け孔に差し込むと蓋本体の裏面に突出する係合手段が軸部に設けられている。係合手段は、後に述べるシール部材との結合のために設けられているものである。従って、表示部材を蓋本体に固定するために係合手段が機能する必要はないが、しかし係合手段が表示部材を蓋本体に固定するための機能を兼ねることは本来の目的を損なわない限り自由である。
【０００８】
取り付け孔に差し込まれている状態にある軸部の係合手段に前述のシール部材が係合によって固定される。この係合は、シール部材を軸方向に押し込むと係合が進み、緊締度が逓増する係合であっても良いし、必要な力を加えて初めて係合が可能となる係合であっても良い。いずれの係合であるにせよ、係合の結果、シール部材に得られる反力によって、蓋本体を表示部材とシール部材とで表裏から挟み込む関係又は状態を作り出し、取り付け孔から蓋本体内に侵入しようとする漏水を遮断可能とすることにおいて変わりはない。
【０００９】
シール部材を、ゴム等の弾力性を有する材料によって形成し、表示部材軸部の係合手段とシール部材との結合によって、弾力性のあるシール部材が圧縮され、その圧縮反力によって漏水に対する遮断作用を高めることができる。即ちシール部材の主目的は蓋本体に開けられた貫通状の取り付け孔から漏水が内部に侵入するのを防止することにある。シール部材は様々な形態を取ることができるが、キャップ状の構造を有することにより密封可能である。
【００１０】
表示部材には、軸部を有しかつ軸部に突形状の係合手段が設けてあるほかに要求されることはないが、表示部材自体の存在理由である何らかの表示を有しているベきであるのは当然のことである。しかし無表示、無特徴の表示部材も、例えば凹部を埋める等のために使用され得る。シール部材がゴム等の弾力性を有する材料から成るのに対して、表示部材はそれよりも良好な耐摩耗性、耐衝撃性を有する材料から成ることが望まれる。
【００１１】
【実施例】
以下図示の実施例を参照して本発明をより詳細に説明する。図１は、地下構造物の開口を閉じるいわゆる鉄蓋の一部を示しており、蓋本体１１の表面の縁に近い部分に必要数個の凹部１２が設けられ、夫々の底に蓋本体１１を貫通する取り付け孔１３が形成されている。各取り付け孔１３はスリバチ状に整形され無理嵌めを容易にする導入部１４を有しており、この導入部１４は、蓋本体１１の鋳造時における鋳型からの抜き勾配を兼ねている。
【００１２】
表示部材として図１には２種類の軸部を有するものが併記されている。第１の表示部材１５は、数字で示された表示部１６と表示部１６から丁字交差状に伸びる軸部１７とを有しており、軸部１７は表示部１６を凹部１２の底に接した状態で蓋本体１１の裏面に突出する長さを有し、かつその裏面に突出する軸部１７には、半径方向外方に突出する突形状の係合手段１８として鍔を多重に設けた構成を有する（図３参照）。
【００１３】
これと係合可能な第１のシール部材１９は弾力性を有する材料であるゴムより成るキャップ状の成形品として示されている。第１のシール部材１９は、蓋本体１１の裏面に接触して封止機能を発揮するシール端２１と、軸部１７を受け入れる中央溝部２２及び係合手段１８と係合可能な係合溝部２３を有する。係合手段１８は８重の鍔を有する場合、６段目位まで係合溝部２３と係合するとともに各鍔は下方（軸先端方）に向かって傾斜した面を有するので、シール部材１９を軸部１７の軸方向に押す力を加えると緊締度が逓増する係合となっている。
【００１４】
第２の表示部材２５は、前記と同様の表示部２６と軸部２７とを有しており、表示部２６を凹部１２の底に接した状態で蓋本体１１の裏面に突出する軸部２７の先端に、半径方向外方に突出する突形状の係合手段２８を設けた構成を有する（図４参照）。例示の係合手段２８は所要の力を加えて初めて第２のシール部材２９と係合可能となる単純な係合を構成する。このため第２のシール部材２９は蓋本体１１に接触して封止機能を発揮するシール端３１と、係合手段２８の顎部３４と係合可能なように溝３２内に設けた係合段部３３とを有する。なお、第２の表示部材２５の係合手段２８は、取り付け孔１３の孔径よりも大径であり、通過時弾性変形により縮径する。蓋体裏面に突出後弾性によって原形に復帰し、蓋体裏面との間に、第２のシール部材２９のシール端部分が入り込む空所が形成される。
【００１５】
このような構成を有する本発明の装置の内、第１の表示部材１５を取り付ける方法を例として図５、図６に基づいて説明する。予め蓋本体１１の表面を清掃しておき、その表示面を構成する凹部１２に表示部材１５を軸部１７の差し込みによって取り付ける（図５ａ）。第１表示部材１５の係合手段１８は、蓋本体１１を貫通した取り付け孔１３にきつく嵌まり込む構成であるので指先に力をこめて押し込むか（図５ｂ）、或いはカナヅチなどの工具３５を用いて打ち込むようにする（図５ｂ′）。この作業を全部の第１表示部材１５…について行ない（図５ｃ）、次いで、蓋本体１１を表裏反転させる。
【００１６】
蓋本体１１の裏面に突出している軸部１７にキャップ状のシール部材１９をかぶせるようにし（図６ａ）、係合手段１８と係合溝部２３とを完全に係合させる（図６ｂ）。その際にはシール部材１９の弾力性が係合を促進するので工具を使用する必要はない。その後、表示部材１５を取り外したり交換したりする必要が生じたときは、シール部材１９を除去して前記のような工具３５を用いて表示部材１５を叩き出せば良い（図６ｃ）。一旦除去した構成部材は２度使用することはなく、新たな部材と交換することにより所期の漏水防止性能が維持される。
【００１７】
図３に示すように、第１のシール部材１９が係合手段１８の部分において第１の表示部材１５と十分に係合しており、または図４に示すように第２のシール部材２９が係合手段２８の部分において第２の表示部材２５と完全に係合している状態では、夫々のシール端２１、３１が蓋本体１１の裏面に各シール部材１９、２９の圧縮圧力によって接触している。故に各表示部材１５、２５は各シール部材１９、２９との係合によって結合一体化状態となり、かつ各シール部材１９、２９は蓋本体１１の裏面に対して圧接した状態にあるので、漏水は完全に遮断される。
【００１８】
【発明の効果】
本発明は以上の如く構成されかつ作用するものであるから、蓋本体を貫通する取り付け孔に、表示部材の一部を差し込んで取り付ける構成に起因して発生する漏水の問題を、表示部材と係合するシール部材の作用によって解決することができ、かつまた表示部材を容易に交換することが可能であるとともに、交換後も所期の漏水防止機能を維持することができる。
【図面の簡単な説明】
【図１】本発明に係る地下構造物用表示装置の実施例を分解して示す表面側の斜視図。
【図２】同じく裏面側の斜視図。
【図３】第１の例による本発明装置の縦断面図。
【図４】第２の例による本発明装置の縦断面図。
【図５】本発明装置の取り付け工程を示す説明図。
【図６】同じく取り付け工程及び取り外し工程を示す説明図。
【符号の説明】
１１  蓋本体
１３  取り付け孔
１５、２５  第１の表示部材、第２の表示部材
１７、２７  軸部
１８、２８  係合手段
１９、２９  第１のシール部材、第２のシール部材
２１、３１  シール端
【図１】
0003801920.tif 000002
【図２】
0003801920.tif 000003
【図３】
0003801920.tif 000004
【図４】
0003801920.tif 000005
【図５】
0003801920.tif 000006
【図６】
0003801920.tif 000007